(57)【特許請求の範囲】
【請求項１】
魚釣りに用いるルアーであって、
魚餌に外形を似せて形成したルアー本体と、
屈曲性に富み変形可能であり、前記ルアー本体頭部底面側から腹部に沿って伸びる前記ルアー本体の頭部側端部に連結されたワイヤと、
前記ワイヤ上に配置される錘と
を備えたルアー。
【請求項２】
前記ワイヤの前記ルアー本体頭部側端部の連結部分付近は折曲変形されており、この変形部分が釣糸連結部である、請求項１に記載のルアー。
【請求項３】
前記錘は前記ワイヤが貫通した状態で前記ワイヤ上に配置されており、任意の位置で固定可能である、請求項１又は２に記載のルアー。
【請求項４】
前記ワイヤの周面にはねじ溝が形成されており、前記錘は前記ワイヤに螺合している、請求項３に記載のルアー。
【請求項５】
前記ワイヤの両端は前記ルアー本体に埋め込まれている、
請求項１から４のいずれかに記載のルアー。
【発明の詳細な説明】
【０００１】
【発明の属する技術分野】
本発明は魚釣りに用いるルアーに関する。
【０００２】
【従来の技術】
従来のルアー、特に、エギと一般に呼ばれるルアーは、小魚やエビなどの魚餌に外形を似せた中実のルアー本体を有している。そして、このルアー本体の頭部側端部には釣糸を係止するための釣糸係止部が、尾部側端部には複数の針がまとめられた針山が設けられている。釣人は、このようなルアーを水中に投じて魚や烏賊等を釣り上げるのである。
【０００３】
また、このようなルアーでは、水中に素早く沈降させて安定した泳動姿勢をとり得るように、錘が装着されている。従来のエギと呼ばれるタイプのルアーの錘は、ルアー本体の頭部側底面にその一部が突出した状態で埋め込まれている。
【０００４】
【発明が解決しようとする課題】
このような従来のルアーを用いる際に生じる問題として、「根がかり」という現象がある。水中にルアーをキャスティングした後に釣糸を巻き上げ又は釣竿をしゃくり上げてルアーを泳動させると、針山やルアー本体から突出している錘，引いてはルアー本体が水中の岩などの障害物に引っかかり、ルアーを取り出せなくなる場合がある。
【０００５】
また、上述のように、ルアーの浮力や沈降態様は、およそ取り付けられている錘の重さや位置によって左右される。しかし、従来のように一部に固定されてしまっているルアーでは、状況に応じて沈降姿勢や沈降速度を変えることが難しい。このため、状況に応じて沈降速度などを変化させたい場合には、ルアーそのものを交換して釣りを行っているのが現状である。
【０００６】
本発明の課題は、根がかりが少ないルアーを提供することにある。
【０００７】
本発明の別の課題は、状況に合わせて沈降態様や泳動姿勢に変化を付けることができるルアーを提供することにある。
【０００８】
【課題を解決するための手段】
発明１のルアーは、魚釣りに用いるルアーであって、魚餌に外形を似せて形成したルアー本体と、屈曲性に富み変形可能でありルアー本体頭部底面側から腹部に沿って伸びるルアー本体の頭部側端部に連結されたワイヤと、ワイヤ上に配置される錘とを備えている。
【０００９】
このルアーでは、ワイヤがルアー本体の頭部側底面側から腹部をカバーして、ルアー本体と水中の障害物との直接の接触を抑えてルアー本体への根がかりを防止する。また、ワイヤはそれ自体屈曲可能であり、ワイヤに対する根がかりは少ない。
【００１０】
発明２のルアーは、発明１のルアーであって、ワイヤのルアー本体頭部側端部の連結部分付近は折曲変形されており、この変形部分が釣糸連結部である。
【００１１】
このルアーでは、ワイヤの一部が変形され釣糸連結部となっており、ここに釣糸を連結して用いる。この変形させる形状は、フック型や周回ワイヤを巻回させる等任意に設定可能である。特に、ワイヤをルアー本体側に変形させれば、釣糸連結部に対する根がかりも少ない。
【００１２】
発明３のルアーは、発明１又は２のルアーであって、錘はワイヤが貫通した状態でワイヤ上に配置されており、任意の位置で固定可能である。
【００１３】
このルアーは、錘をワイヤ上で移動させ任意に固定させることで、ルアーの重心位置を変化させ得る。そして、ルアーの沈降態様や泳動姿勢に変化を生じさせ得る。また、仮に、ワイヤ上の錘が水中で障害物に引っかかって「根がかり」してしまっても、力を加えてルアーを引きつければ、錘がワイヤ上で移動し、根がかりを比較的容易に解除できる。
【００１４】
発明４のルアーは、発明３のルアーであって、ワイヤの周面にはねじ溝が形成されており、錘はワイヤに螺合している。
【００１５】
このルアーでは、錘のワイヤに対する螺合程度を調整することで、錘の位置を任意に変更させ得る。
【００１６】
発明５のルアーは、発明１から発明４のいずれかのルアーであって、ワイヤの両端はルアー本体に埋め込まれている。
【００１７】
【発明の実施の形態】
［第１実施形態］
以下、本発明の第１実施形態について図面を参照しつつ説明する。
【００１８】
本発明の第１実施形態を採用したルアーは、図１に示すように、外形を小エビに似せて形成した中実のルアー本体１を有する。そして、ルアー本体１の頭側端部には金属ワイヤ２が連結されており、金属ワイヤ２上には錘５が配置されている。また、ルアー本体１の尾部側端部には針山３が連結されている。
【００１９】
ルアー本体１は、左右一対の半割部材を貼り合わせて形成され、又は、いわゆる射出成形によって形成される合成樹脂製部材、若しくは金属製の部材である。表面は外形をエビに似せるための様々な模様等が施される。例えば、頭部には目を設け、羽根４を取り付けてもよい。
【００２０】
ワイヤ２は周知の金属素材からなる線部材である。必要に応じて超弾性を有する形状記憶合金を用いてもよい。このワイヤ２は、一端がルアー本体１の頭部側端部に埋め込まれて連結され固定されている。そして、この連結部分から頭部側に伸びつつルアー本体１の頭部底面側に折り返され、腹部にかけて伸びている。ワイヤ２は、全体としてルアー本体１の外形線に沿って湾曲するような形状にして、ルアー本体１の長手方向中央付近まで伸びるのが好ましい。また、このワイヤ２の折り返し部分付近は、さらに部分的フック状に折り曲げられており、ここが釣糸Ｌを連結するための釣糸連結部２ａとなっている。
【００２１】
なお、ワイヤ２は図１に示すように，腹部側の端部においてルアー本体１に再度埋め込んで固定してもよい。
【００２２】
錘５は鉛，タングステン，これらの合金等からなる比重の大きい金属からなる。その他、タングステン粉末を混入した合成樹脂等から構成することも可能である。錘５はワイヤ２の長手方向に長いラグビーボール型であり、その長手方向を貫通するように貫通孔が形成されており、この貫通孔をワイヤ２が貫通した状態でワイヤ２上に配置されている。また、錘５の両端若しくは一端側に隣接してワイヤ２上にはゴム管６が配置される。
【００２３】
このルアーは、釣場の状況にあわせて、錘５をワイヤ２上で長手方向にスライド移動させ、ゴム管６で錘５を挟持して位置決めして用いる。このように錘５をワイヤ２上の任意の位置に固定することで、ルアーの重心位置に変化をつけて、泳動姿勢や沈降姿勢などを調整する。
【００２４】
そして、水中にこのルアーを投げ込み、釣糸を巻き上げ（リトリーブ），釣竿を振り上げる（ジギング）等の釣り操作をおこなって、魚や烏賊などをおびき寄せる。この際、ワイヤ２がルアー本体１の進行方向となる頭部側からその腹部付近をカバーして、水中の障害物に直接ルアー本体が引っかかってしまうのを抑える。また、ワイヤ２自体は屈曲性に富み変形するので、ワイヤ２に対する根がかりは少ない。また、力を加えればワイヤ２上の錘５の位置がずれるので、ワイヤ２上の錘５に対する根がかりも少ない。
【００２５】
［第２実施形態］
本発明の第２実施形態として、第１実施形態の変形例を示す。
【００２６】
図２に示すように、このルアーは、第１実施形態と同様に、外形を小エビに似せて形成した中実のルアー本体１１を有する。そして、ルアー本体１１の頭側端部には金属ワイヤ１２が連結され、金属ワイヤ１２上には錘１５が配置される。
【００２７】
ワイヤ１２は、一端がルアー本体１１の頭部側端部に埋め込まれて連結され固定されている。そして、この連結部分から頭部側に伸びるワイヤ１２はリング状に１回巻かれた後、ルアー本体１１の頭部底面側に向かって折り曲げられ、ルアー本体１１の外形線に沿って腹部にかけて伸びている。このリング状に巻かれる部分１２ａはルアー本体１１側に向かって巻かれるのが好ましく、このリング状の部分１２ａが釣糸Ｌを連結する釣糸連結部分となる。また、ワイヤ１２の折り返された先端側の周面にはねじ溝が形成される。
【００２８】
錘１５は、第１実施形態と同様に、鉛，タングステン，これらの合金等からなる比重の大きい金属からなる。錘１５はルアー本体１１の頭部側に向かって小径化する略円錐型であり、その軸方向に貫通する貫通孔を有する。この貫通孔内周面はねじ面となっており、上述のワイヤ１２のねじ溝に螺合する。
【００２９】
このルアーは、釣場の状況にあわせて、錘１５をワイヤ１２上で回転させて螺合程度を調整し、長手方向に移動させて任意の箇所に位置決めして用いる。こうして、ルアーの重心位置を任意に調整可能となる。そして、水中にこのルアーを投げ込み、釣糸を巻き上げ（リトリーブ），釣竿を振り上げる（ジギング）等の釣り操作をおこなって、魚や烏賊などをおびき寄せる。
【００３０】
この際、ワイヤ１２がルアー本体１１の進行方向となる頭部側からその腹部付近をカバーして、水中の障害物に直接ルアー本体が引っかかってしまうのを抑える。また、ワイヤ１２自体は屈曲性に富み変形するので、ワイヤ２に対する根がかりは少ない。
【００３１】
［他の実施形態］
（ａ）上記各実施形態においては錘を１つのみ用いているが、複数の錘をワイヤ状に配置することは当然に可能である。
（ｂ）上記各実施形態においては、錘をワイヤ上に配置しているが、錘自体は従来のもののように、ルアー本体に直接埋め込んでもよい。この際には、ワイヤが錘の装着位置をもカバーするようにルアー本体の外形線に沿って腹部方向に伸びるようにする。
【００３２】
【発明の効果】
このルアーを用いた場合には、根がかりが少なく円滑に釣りを行うことができる。また、ワイヤ状に錘がその位置を可変に装着されていれば、状況に合わせて沈降態様や泳動姿勢に変化を付けることができる。
【図面の簡単な説明】
【図１】  本発明の第１実施形態を採用したルアーを示した図。
【図２】  本発明の第２実施形態を採用したルアーを示した図。
【符号の説明】
１，１１  ルアー本体
２，１２  ワイヤ
ｂ５，１５  錘
【図１】
0003809946.tif 000002
【図２】
0003809946.tif 000003